(57)【要約】      （修正有）【課題】複数の審美的外観を採りうる宝飾品を提供する。【解決手段】少なくとも２個のリング２，４を有する。これらのリングは、互いに入れ子状に収納され、それらの直径は異なる。これらのリングは互い回転可能である。本発明の宝飾品は、リングが傾斜する外観から、互いに入れ子状に収納される外観（内側のリングは見えなくなる）まで変わる。本発明の宝飾品は、一方のリングの固定され、他方のリング４に形成された細長い開口１１ｃのエッジと共働するピン２６を有する支持手段２６、１１ｃを有する。その結果、リングは複数の位置で動かなくなる。【選択図】図２
2008012316.tif 000002
【特許請求の範囲】
【請求項１】
（Ａ）  内側リング（２）と、
（Ｂ）  完全または部分的な外側リング（４）と、
前記リングは、互いに入れ子状に収納され、
（Ｃ）  入れ子状に収納された前記リングがなす角度を、前記２個のリングに共通の軸を中心に前記リングを相対的に回転することにより、変更する回転手段（２５、１０ａ、１０ｂ、１０ｃ）と、
（Ｄ）  前記リングを複数の相対的位置に選択的に維持する支持手段（２６、２７、１１ｂ、１２ｂ、１１ｃ、１２ｃ）と、
前記複数の相対的位置は、リングが入れ子状に収納される第１位置とリングが互いに傾斜する第２位置とを有し、
を有し、
前記支持手段は、前記第１リング（２）に固定されるピン（２６）と、前記第２リング（４）に形成された第１の細長い開口（１１ｃ）とを有し、
前記ピン（２６）は、前記開口（１１ｃ）に係合し、前記第内側リング（２）が前記外側リング（４）に対し回転した時に、前記開口（１１ｃ）を横切る方向に移動し、
前記開口（１１ｃ）の１つのエッジは、前記ピン（２６）と共働し、前記ピン（２６）を、複数の相対的位置（２６ａ，２６ｂ）内で選択的に不動状態にする
ことを特徴とする宝飾品。
【請求項２】
前記回転手段は、第１と第２の組み立てピン（２５）を有し、
前記組み立てピン（２５）は、前記内側リング（２）に固定され、第２リング（４）に形成された第１の開口（１０ｃ）と第２の開口（２０ｃ）に係合し、
前記第２リングが、前記組み立てピン（２５）の周囲で回転できる
ことを特徴とする請求項１記載の宝飾品。
【請求項３】
前記第１リングは、内側リング（２）であり、
前記第２リングは、外側リング（４）である
ことを特徴とする請求項１記載の宝飾品。
【請求項４】
入れ子状に収納する中間リング（３）をさらに有し、
前記中間リング（３）の直径は、前記外側リング（４）と内側リング（２）の直径の間である
ことを特徴とする請求項１記載の宝飾品。
【請求項５】
収納用の中間リング（３）をさらに有し、
前記中間リング（３）の直径は、前記外側リング（４）の内側リング（２）の直径の間にあり、
前記支持手段（２６、２７、１１ｂ、１２ｂ、１１ｃ、１２ｃ）は、前記中間リング（３）に形成された細長い第２の開口（１１ｂ）を有し、
前記ピン（２６）は、前記第２の開口（１１ｂ）内に係合し、前記支持手段が前記内側リングに対し回転した時に、前記開口を横切る方向に移動し、
前記開口の一端は、前記ピンと共働するよう配置され、ピンを複数の相対的位置内で選択的に不動状態にする
ことを特徴とする請求項３記載の宝飾品。
【請求項６】
前記組み立てピン（２５）の１つは、前記ピン（２６）近傍に配置され、
前記組み立てピン（２５）とピン（２６）は、その端部で、ヘッド（２４）により結合され、
前記ヘッド（２４）は、前記外側リング（４）が前記組み立てピン（２５）からはずれるのを阻止する
ことを特徴とする請求項２記載の宝飾品。
【請求項７】
前記開口（１１ｃ）の端部（１３０）は、前記ピン（２６）と共働し、
前記ピンを少なくとも３個の相対的位置で動かないようにする
ことを特徴とする請求項１記載の宝飾品。
【請求項８】
前記第２位置において、外側リング（４）と中間リング（３）は、内側リング（２）に対し、対称的に傾斜している
ことを特徴とする請求項４もしくは５記載の宝飾品。
【請求項９】
前記外側リング（１０４）の端部と中間リング（１０３）の端部とは、切り欠き部分（１３１、１３２）を有し、
前記複数の相対的位置の１つにおいて、前記切り欠き部分は、互いに対向して装飾的デザインを形成する
ことを特徴とする請求項４もしくは５記載の宝飾品。
【発明の詳細な説明】
【技術分野】
【０００１】
本発明は、可動部分を有する湾曲状或いは環状の宝飾品に関し、特に、可動部分を有する指輪とブレスレット、特に可動部分を有する時計のバンドあるいはリストバンドに関する。
【背景技術】
【０００２】
可動部分を有する環状の宝飾品は、公知である。特許文献１、２は、異なる直径の同心リングを有する指輪を開示する。これらのリングは、互いに半径方向に向かい合って配置した２個のピボットを介して、組み立てられる。これらのピボットにより、リングは傾斜位置の間で互いに相対的に回転する。この傾斜位置では、最小径のリングの外側表面は見ることができ、入れ子状に収まる位置では、最大径のリングが最小径のリングの外側表面をカバーし、隠す。これら２個の指輪は、入れ子状の位置にそれらを保持する固定手段にさらに適合する。
【０００３】
【特許文献１】米国特許第１，８３０，９２９号明細書
【特許文献２】米国特許第１，９３６，６０４号明細書
【特許文献３】フランス特許第２，７１５，８０６号明細書
【０００４】
これらの特許文献１，２に開示された宝飾品は、傾斜位置（即ち、開いた位置）で装着されるものではない。これらの宝飾品の装着者が、それを開放位置で装着しようとしても、宝飾品は、再び閉じ、少なくとも瞬間的に閉じる。実際、可動部分の動きを阻止する手段を具備しない。可動部分を具備した宝飾品を装着する者が、自分が望むさまざまな位置で、それらを装着できるようにするのが好ましい。
【０００５】
特許文献３は、２カ所の位置で装着できるようにした環状の宝飾品を開示する。この宝飾品は、環状の内側部分とリング部分の形状の外側部分とを有する。これら２つの部分は、同軸のピボットで組み立てられ、外側部分が回転できる。この宝飾品は、さらに弾性要素を有し、２つの部分の一方に固定され、他方の部分に形成されたハウジングの一方あるいは他方の内側に当たって、共働する。この構成により、外側部分は、第１位置又は第２位置のいずれかに選択的に保持され、第１位置では、２つの部分は相手側の内側に適合する。第２位置では、２つの部分は傾斜する。
【０００６】
特許文献３に開示された宝飾品には欠点がある。弾性要素が、他の部分のハウジング内で当接するよう共働できるようにする為に、特許文献３は、内側部分と外側部分は少なくとも一部が重なることを教示する。この状態では、内側部分の外側表面の幅は、完全には見ることができない。さらに、２つの部分の一方に結合され、２つの部分の間に圧縮される変形可能（弾性）要素を使用することにより、宝飾品の製造がより複雑となる。
【発明の開示】
【発明が解決しようとする課題】
【０００７】
本発明の目的は、少なくとも２個のリング（あるいはリング部分）を有し、互いの内側に（入れ子状に）収納可能で、両方のリングに共通の軸の周囲で互いに回転することにより、宝飾品の外観を変化させることができ、且つ上記したような制限を受けない宝飾品を提供することである。
【課題を解決するための手段】
【０００８】
本発明の目的は、請求項１に記載した宝飾品により達成できる。本発明によれば、第１リングに固定されたピンは、第２リング内の開口のエッジと共働する。本発明の利点は、従来の変形可能要素とは異なり、本発明のピンはハウジングを必要としない。このような状態において、本発明の支持手段（indexing means）は、より単純で小型となる。このことは、それらは回転手段近傍に配置できることを意味する。
【実施例】
【０００９】
図１ａ、１ｂ、１ｃに示す腕時計は、互いの中に入り込む３個の同心状のリングを有する。以下の説明において、これらのリングは、内側リング２、中間リング３、外側リング４と称する。これら３個のリング２，３，４は、２個の回転領域で組み立てられる。そのうちの１つである回転部分９が、図１ａ、１ｂ、１ｃに示される。第２の回転部分は、回転部分９の半径方向に対向した位置（反対側）に配置される。リングは、２個の回転部分を貫通する回転軸の周囲で互いに回転可能である。図１に示す実施例においては、時計５は、文字板６と時針８ａ分針８ｂとを有し、内側リング２と一体に形成される。その結果、時計のガラス７がリング２の外側表面と同一面となる。文字板６と指針による時間指示は、内側リング２の外側表面を介して見ることができる。時計５は、内側リング２で、２個の回転領域９の間の中間位置に配置される。
【００１０】
図１ａでは、３個のリング２、３、４は、完全に重なり合った位置にある。これらのリングは、かくして同一方向に３個全て向いている。この構成において、中間リング３と外側リング４は、内側リング２の外側表面を完全にカバーしている。文字板６と指針８は、時計５の表示機能を形成するが、完全に隠れる。
【００１１】
図１ｂは、これらのリングが第２状態にある同一の腕時計を示す。外側リング４は、３０°回転し、残り２個のリング２，３は重なり合っている。この第２状態のリングを具備したブレスレットを装着すると、その外観は、図１ａのブレスレットのそれとは大きく異なる。しかし、図１ｂに示す構成は、時計の表示を見ることができない。この実施例に示した時計は、上記と類似する別の形態（外観）でも装着できる。この別の形態（外観）では、３０°傾斜したリングが中間リング３であり、時計を隠すリングが外側リング４である。
【００１２】
図１ｃにおいて、外側リング４と中間リング３は、両方とも内側リング２に対し３０°反対方向に傾斜している。外側リング４と中間リング３は、内側リング２に対し対象位置を占める。この構成において、時計を搭載した内側リング２の一部を見ることができる。
【００１３】
本発明の一実施例として、互いの上に完全には近づかないリングを選択することもできる。これは、特にブレスレットあるいはネックレスの場合において既知である。このような「完全ではないリング」あるいは「部分的なリング」は、若干移動することができ、これらのリングを簡単に装着／取り外しできる利点がある。さらに、内側リングの周囲の一部のみを覆う部分的な外側リングを使用することもできる。３個以上の相対的位置にリングを維持する支持手段を使用することもできる。
【００１４】
本発明のリングは、例えば異なる幅あるいは切り欠き部分を有し、宝飾品に特に審美的外観を与えるようにすることもできる。一例として、図５ａ、５ｂ、５ｃは、審美的外観を有する腕時計を示す。図１ａ、１ｂ、１ｃの実施例と同様に、この本発明の腕時計は、３個のリング１０２、１０３、１０４を有し、それらは図５ａでは（入れ子状に）重なり合った状態で示す。同図は、外側リング１０４がその側面の一方に丸い（ハート形半分の）切り欠き部分１３１を有する。この切り欠き部分１３１が、装飾的デザインを形成する。
【００１５】
図５ｂは、第１の傾斜構造のブレスレットを示す。同図において、中間リング１０３と外側リング１０４は、時計を搭載する内側リング１０２に対し、１５°傾いた対称位置を占める。同図から分かるように、中間リング１０３も外側リング１０４と類似の切り欠き部分１３２を有する。切り欠き部分１３１、１３２は、相補形状をし、図５ｂに示す形状においてはそれらは一体となって装飾的デザインを形成する。ここに示した実施例においては、装飾的デザインは、ハート形であり、その外形は、中間リング１０３と外側リング１０４の間の開口のエッジにより形成される。この構造において、時計の文字板は、中間リング１０３と外側リング１０４に一部カバーされる。ハート形の切り欠き部分１３１、１３２が見えることにより、時計を見る（時間を見る）ことができる。図５ｃにおいて、ブレスレットは第２の傾斜形状で示されており、この形状では、中間リング１０３と外側リング１０４が時計を搭載する内側リング１０２に対し３０°傾斜した対称位置を占める。この最後の構造（図５ｃ）は、図１ｃに記載したものと類似する。切り欠き部分１３１、１３２は、互いに離れ過ぎ、一体となって１個のデザインを形成することはない。
【００１６】
図２は、図１ａ、１ｂ、１ｃの内側リング２、中間リング３、外側リング４の展開図である。同図から分かるように、各リングは、回転領域９に対応する場所に３個の開口が開けられている。内側リング２の場合に、これら３個の開口は、円形である。これらは、１個の軸方向開口１０ａと２個の横方向開口１１ａ、１２ａである。中間リング３も３個の開口を有する。すなわち、１個の軸方向開口１０ｂと２個の横方向開口１１ｂ、１２ｂである。以下に示すように、この最後の２個の開口は、円形ではなく、複雑な形状をしている。外側リング４は、開口１０ｃ、１１ｃ、１２ｃを有し、これらは中間リング３の開口１０ｂ、１１ｂ、１２ｂと類似する。
【００１７】
図２は、ほぼ円形の凹部１３を示す。この凹部１３は、中間リング３の外側表面で回転領域９に形成される。開口１０ｂ、１１ｂ、１２ｂが凹部１３の平坦な底部に形成される。第２の完全な類似する凹部１４が外側リング４の外側表面に配置される。外側リングの開口１０ｃ、１１ｃ、１２ｃは、この凹部１４に配置される。２個の他の平坦な底部を有する凹部（図示せず）は、第２の回転領域の直径方向に対向した回転領域９上で中間リング３と外側リング４内にそれぞれ配置される。図２は、円形開口２０ａ、２１ａ、２２ａを示す。これらは内側リング２内に第２の回転部分に対応する場所に配置される。開口１０ｂ、１１ｂ、１２ｂに対称の３個の開口が中間リング３の第２の凹部に形成される（これらの開口の内の開口２１ｂのみが図には示されている）。最後に、開口１０ｃ、１１ｃ、１２ｃと対称の他の３個の開口（図示せず）が、外側リング４に形成される。
【００１８】
２個の同一形状のボタン１５、１６が図２に示される。図３は、これら２個のボタン１５、１６の断面図である。図２、３から分かるように、ボタン１５、１６は、ほぼ円盤状のヘッド２４と３個の平行なピン２５、２６、２７を有する。ヘッド２４は、外側リング４の表面に形成された円形の凹部１４に挿入できる大きさである。ボタン１５の中央ピン２５は、外側リング４の開口１０ｃと中間リング３の開口１０ｂを貫通して伸び、内側リング２の開口１０ａ内に入る。同様に、ボタン１６の中央ピンは、外側リング４と中間リング３を貫通し、その内側リング２の円形開口２０ａ内にその端部が入る。外側リング４と中間リング３は、ボタン１５、１６の２個の中央ピン２５を中心に回転する。２個の中央ピン２５は、外側リング４と中間リング３の回転軸の機能を有する。これらの中央ピン２５は、リングが互いに回転できる回転手段を形成する。各中央ピン２５は、その一端で内側リング２に係合し、他端でヘッド２４内にあるため、３個のリング２、３、４は、組み立てられた状態を維持する。特に、可動リングである中間リング３と外側リング４は、その回転軸から切り離されることはない。上記のことから、ボタン１５、１６の中央ピン２５は、以下の説明では「組み立てピン」とも称する。
【００１９】
図２、３によれば、ボタン１５、１６も外側ピン２６、２７を搭載し、これらは中央ピン２５の両側に配置される。ボタン１５の外側ピン２６、２７は、それぞれ外側リング４の開口１１ｃ、１２ｃと、中間リング３の開口１１ｂ、１２ｂを貫通し、内側リング２の開口１１ａ、１２ｃ内にその端部が入る。同様に、ボタン１６の２個の外側ピンは、外側リング４、中間リング３を通り、その端部が内側リング２の開口２１ａ、２２ａ内に入る。その結果、ボタン１５、１６は、内側リング２に結合される。
【００２０】
図４は、外側リング４の表面に形成された窪んだ部分即ち凹部１４の上面図である。図４から明らかなように、凹部１４の平坦な底部は、３個の開口１０ｃ、１１ｃ、１２ｃを有する。円形開口１０ｃには、組み立てピンである中央ピン２５が挿入され、横方向開口１１ｃ、１２ｃには、それぞれ外側ピン２６、２７が挿入される。以下の説明を容易にするために、図４は、横方向開口１１ｃ、１２ｃに係合した外側ピン２６、２７を示す。
【００２１】
開口１１ｃは、開口１２ｃと同様に、Ｕ字型の（図４ではＵの字が上下逆になっている）溝である。Ｕの字の２つの枝部であるブランチ１７、１８は、平行であり、円弧に沿って伸びる。外側ピン２６は、前から開口１１ｃのブランチ１７を貫通する。このブランチ１７が、スライドする道（溝）を形成する。外側リング４が、組み立てピンである中央ピン２５に対し回転すると、この溝に沿って外側ピン２６が横切る。かくして、外側リング４が、一方にあるいは他方に、３０°回転すると、ピンは、ポジション２６ａ、２６ｂで特定される２つの位置の間を移動する。これらの位置は、３０°の角度分だけ弓なりに離れている。同図から明らかなように、ブランチ１７は、ポジション２６ａを超えて、狭い弓形の端部部分となって伸びる。全体的に、開口１１ｃのＵ字型が、外側リング４の材料に細長い部分３０を形成する。この細長い部分３０が、Ｕ字型の溝の２つのアームであるブランチ１７，１８の間を伸びる。この細長い部分３０は、半径方向に弾性を有する形状をし、外側ピン２６と共働すると、ジャンパー・スプリングのように働く。細長い部分３０の機能は、ピン２６を、ポジション２６ａまたは２６ｂのいずれかの位置に保持することである。
【００２２】
前述したように、外側ピン２６は、開口１１ｃの一部分内のみを動く。この一部分は、２個のポジション２６ａ、２６ｂの間にある。特に、Ｕ字型の溝の他方の溝であるアームであるブランチ１８は、外側ピン２６を受け入れることはない。ブランチ１８が、スロットを形成し、細長い部分３０が半径方向に動くのに必要なスペースを提供する。
【００２３】
開口１２ｃは、開口１１ｃと軸対称に形成されたカウンター部分である。開口１２ｃは、外側ピン２７を収納し、外側ピン２７がスライドする溝を形成する。外側ピン２６が細長い部分３０によりポジション２６ａ内に保持されている時には、外側ピン２７はポジション２７ｂ内に保持される。逆に、外側ピン２６がポジション２６ｂに保持されている時には、外側ピン２７はポジション２７ａ内に保持される。この構成は、ピンが一方のポジションから他方のポジションに通過するのに必要な力を等しくする利点がある。しかし、対称に配置する代わりに、開口１２ｃは、１８０°だけ開口１１ｃに対し回転させることもできる。ボタン１５、１６が、外側ピン２６又は２７を１本のみを有してもよい。この状態においては、対応する開口（開口１１ｃまたは開口１２ｃのいずれか）をやめることもできる（図６）。
【００２４】
図４は、ボタン１５が挿入された凹部１４を示す。別の凹部がボタン１６を収納するために、凹部１４の反対側に配置される。この実施例においては、第２の凹部１４に形成された開口は、図４のそれに類似する。しかし、唯一異なる点は、それらは、凹部１４の開口が内側リング２の面に対し対称の場所にある点である。しかし、当業者は、外側ピンのみを具備するボタン１５を選択することも可能である。このような場合、ボタン１６は、中央ピン２５のみを搭載し、ボタン１６の外側ピン２６、２７を収納するＵ字型の開口（溝）はもやは必要ない。
【００２５】
中間リング３の表面も２個の凹部１３を有する。この凹部１３は、開口１０ｂ、１１ｂ、１２ｂを有する。それらは、外側リング４に形成された開口部と類似の形状をしている。外側リング４の開口１１ｃと１２ｃと同様に、開口１１ｂ、１２ｂが、外側ピン２６、２７と共働して、中間リングを、３０°だけ離れた２個の角度位置で維持できるよう具備される。外側リング４と中間リング３は、内側リング２に対し対称に傾斜している。このため、凹部１３に形成された開口の形状は、凹部１４に形成された形状と対称である。
【００２６】
図６は、２個の凹部１１４の一方の上面図である。この凹部１１４は、図５ａ、５ｂ、５ｃの腕時計の外側リング１０４の表面に形成される。図４の実施例とは異なり、凹部１１４の平坦な底部は、円形中央開口１１０ｃと横方向開口１１１ｃのみを有する。円形中央開口１１０ｃには、組み立てピンである中央ピン２５が挿入され、１個の横方向開口１１１ｃには、外側ピン２６が挿入される。図４の実施例と同様に、横方向開口１１１ｃは、Ｕ字型をしている。第１実施例と同様に、Ｕ字型の枝部であるブランチ１１７、１１８は、平行で、円のアークに沿って伸びる。外側ピン２６は、前からブランチ１１７を貫通し、その中を横方向にスライドする。ブランチ１１７の端部は、外側ピン２６を、３つの異なる位置であるポジション１２６ａ、１２６ｂ、１２６ｃに選択的に保持／維持する。１５°の２つの弓形部分が、ポジション１２６ａ、１２６ｂ、１２６ｃを互いに分離する。図４で説明したところによれば、横方向開口１１１ｃのＵ字型が、外側リング１０４の材料内に細長い部分１３０を形成する。この細長い部分１３０が、Ｕ字型の２つのアーム（ブランチ）間を伸びる。細長い部分１３０の機能は、ピンをポジション１２６ａ、１２６ｂ、１２６ｃの１つに選択的に保持することである。外側リング１０４（図５ａ、５ｂ、５ｃに示す）が重なり合った位置から１５°回転すると、外側ピン２６は、ポジション１２６ａからポジション１２６ｂに移動する。リングがさらに１５°回転して３０°傾斜すると、外側ピン２６は、ポジション１２６ｂからポジション１２６ｃに移る。
【００２７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部分番号に対応し、発明の容易なる理解の為に付したものであり、発明を限定的に解釈するために用いてはならない。また、同一番号でも明細書と特許請求の範囲の部分名は必ずしも同一ではない。これは上記した理由による。
【図面の簡単な説明】
【００２８】
【図１ａ】本発明の宝飾品の第１実施例に対応する腕時計の斜視図。
【図１ｂ】外側リングが傾斜位置にある図１ａの腕時計の斜視図。
【図１ｃ】外側リングと中間リングが傾斜位置にある図１ａ、１ｂの腕時計の斜視図。
【図２】図１の時計のブレスレットの展開図。
【図３】図２のブレスレットのリングを組み立てる２個のボタンの断面図。
【図４】外側リングの表面に形成された２個の凹部の上面図。
【図５ａ】本発明の宝飾品の第２実施例に対応する腕時計の斜視図。
【図５ｂ】外側リングと中間リングが第１傾斜位置にある図５ａの腕時計の斜視図。
【図５ｃ】外側リングと中間リングが第２傾斜位置にある図５ａ、５ｂの腕時計の斜視図。
【図６】図５ａ、５ｂ、５ｃに示されたブレスレットの外側リングの表面に形成された２個の凹部の一方の上面図。
【符号の説明】
【００２９】
２    内側リング
３    中間リング
４    外側リング
５    時計
６    文字板
７    ガラス
８    指針
８ａ  時針
８ｂ  分針
９    回転領域
１０ａ  軸方向開口
１０ｂ  軸方向開口
１１ａ、１２ａ  横方向開口
１０ｂ，１１ｂ，１２ｂ  開口
１０ｃ，１１ｃ，１２ｃ  開口
２０ａ，２１ａ，２２ａ  円形開口
１３，１４  凹部
１５，１６  ボタン
１７  ブランチ
２４  ヘッド
２５，２６，２７  ピン
２５  中央ピン
２６，２７  外側ピン
３０  細長い溝
１０２    内側リング
１０３    中間リング
１０４    外側リング
１０５    時計
１０６    文字板
１０７    ガラス
１０８    指針
１０８ａ  時針
１０８ｂ  分針
１０９    回転領域
１１０ｃ，１１１ｃ  開口
１１０ｃ  円形開口
１１１ｃ  横方向開口
１１４  凹部
１１７    ブランチ
１２６ａ，１２６ｂ，１２６ｃ  ポジション
１３０    細長い溝
１３１，１３２  切り欠き部分
【図１ａ】
2008012316.tif 000003
【図１ｂ】
2008012316.tif 000004
【図１ｃ】
2008012316.tif 000005
【図２】
2008012316.tif 000006
【図３】
2008012316.tif 000007
【図４】
2008012316.tif 000008
【図５ａ】
2008012316.tif 000009
【図５ｂ】
2008012316.tif 000010
【図５ｃ】
2008012316.tif 000011
【図６】
2008012316.tif 000012